(57)【要約】  カラムオーブン内に配置しても、駆動電流を抑制せず常に最大光量を得ることができる吸光度検出器及びクロマトグラフを提供する。  ＬＥＤ素子２１ａ、２１ｂを有する発光部２１と、フォトダイオード２２ａを有する受光部２２と、発光部２１と受光部２２の間に配置され、試料が収容されるセル部２３とからなる吸光度検出器セル２０と、ＬＥＤ素子２１ａ、２１ｂに駆動電流を出力するＬＥＤ制御部３１ａと、ＬＥＤ素子２１ａ、２１ｂの周囲温度を検出する温度センサ２１ｄを備え、ＬＥＤ制御部３１ａは、温度センサ２１ｄで検出された周囲温度に基づいて、ＬＥＤ素子２１ａ、２１ｂに出力する駆動電流の上限値を決定する。
2017149787.tif 000002
【特許請求の範囲】
【請求項１】
ＬＥＤ素子を有する発光部と、フォトダイオードを有する受光部と、前記発光部と前記受光部との間に配置され、試料が収容されるセル部とで構成される吸光度検出器セルと、
前記ＬＥＤ素子に駆動電流を出力するＬＥＤ制御部とを備える吸光度検出器であって、
前記ＬＥＤ素子の周囲温度を検出する温度センサを備え、
前記ＬＥＤ制御部は、前記温度センサで検出された周囲温度に基づいて、前記ＬＥＤ素子に出力する駆動電流の上限値を決定することを特徴とする吸光度検出器。
【請求項２】
前記ＬＥＤ制御部は、前記温度センサで検出された周囲温度及び前記ＬＥＤ素子の熱抵抗に基づいて、前記ＬＥＤ素子に出力する駆動電流の上限値を算出することを特徴とする請求項１に記載の吸光度検出器。
【請求項３】
前記ＬＥＤ制御部は、周囲温度が安定したと判定した後に、前記ＬＥＤ素子に出力する駆動電流の上限値を決定することを特徴とする請求項１に記載の吸光度検出器。
【請求項４】
請求項１に記載の吸光度検出器と、
オーブンと、前記オーブンの内部に配置されるカラムと、前記オーブン内部の空気を加熱するヒータとを備えるカラムオーブンと、
前記カラムオーブンを制御するオーブン制御部とを備えるクロマトグラフであって、
前記吸光度検出器セルは、前記オーブン内部に配置されることを特徴とするクロマトグラフ。
【発明の詳細な説明】
【技術分野】
【０００１】
本発明は、吸光度検出器に関し、特に、クロマトグラフのカラムオーブン内に配置される吸光度検出器に関する。
【背景技術】
【０００２】
吸光光度法は、多数の物質を定量する場合の公定法にも用いられ、汎用性の高い測定方法として様々な分野で採用されている。このような吸光光度法に基づいた測定を行うためには、測定対象試料による光の吸収の程度、すなわち吸光度を検出するための吸光度検出器が必要である。
吸光度検出器は、発光部と、受光部と、試料を収容するセル部とから構成され、発光部と受光部と間の測定光路上にセル部が設置されている。発光部は測定する波長によっても異なるが、可視光領域の波長を測定する場合にはタングステンランプやハロゲンランプが用いられ、この光源からの光を回折格子（グレーティング）により分光して、試料を収容したセル部に一定波長の光を照射する。試料を透過した光は、フォトダイオードや光電子増倍管を用いた受光部で検出され、その光の透過率から吸光度が算出される。【０００３】
また、ある特定の物質を測定するための簡易的な専用検出器の場合には、光の波長を変更する必要がないため、発光部として高輝度発光ダイオード（ＬＥＤ素子）を用いた吸光度検出器が利用されている（例えば特許文献１参照）。ただし、複数の波長を用いて測定を行いたい場合には、波長の異なる複数のＬＥＤ素子を設置することが必要となる。【０００４】
図３は、波長の異なる２個のＬＥＤ素子を備える吸光度検出器の一例を示す図である。吸光度検出器１３０は、吸光度検出器セル１２０と、ＬＥＤ制御部１３１ａとフォトダイオード制御部３１ｂを有する検出器制御部１３１と、アンプ部３２及びＡ／Ｄ変換器３３とを備える。【０００５】
吸光度検出器セル１２０は、２個のＬＥＤ素子１２１ａ、１２１ｂ及び発光用フォトダイオード２１ｃを有する発光部１２１と、受光用フォトダイオード２２ａを有する受光部２２と、発光部１２１と受光部２２との間に配置され試料が通過するフローセル（セル部）２３とを備える。そして、フローセル２３の入口端はクロマトグラフのカラムの出口端に接続され、フローセル２３の出口端はドレインに接続されている。【０００６】
ＬＥＤ素子１２１ａ、１２１ｂは、ＬＥＤ制御部１３１ａから駆動電流が供給されることによってＯＮ／ＯＦＦ及び発光量が制御され、発光用フォトダイオード２１ｃとフローセル２３とに光を照射する。そして、受光用フォトダイオード２２ａは、フローセル２３を透過した光を検出して出力電流を出力するとともに、発光用フォトダイオード２１ｃは、フローセル２３を通過しない光を検出して出力電流を出力する。【０００７】
フォトダイオード２１ｃ、２２ａはアンプ部３２に接続され、アンプ部３２でフォトダイオード２１ｃ、２２ａからの出力電流が電圧に変換される。さらにこの電気信号はＡ／Ｄ変換器３３でデジタル変換されてフォトダイオード制御部３１ｂに送信される。
【先行技術文献】
【特許文献】
【０００８】
【特許文献１】登録実用新案第３０３６９３０号公報
【発明の概要】
【発明が解決しようとする課題】
【０００９】
上述したような吸光度検出器セル１２０は、回折格子（グレーティング）等を備えず、小型かつ簡便な形態であるため、恒温槽内等に収容して使用されることがある。
ところで、ＬＥＤ素子の一種であるＵＶＬＥＤ素子は熱に弱く、接合部の温度が８５℃近傍になると破損するものがある。例えば、熱抵抗が４５℃／Ｗ、順方向電圧値が１０ＶのＵＶＬＥＤ素子に対し、駆動電流値Ｉを１００ｍＡとした場合、ＵＶＬＥＤ素子の消費電力値は１Ｗであって周囲温度ｔから４５℃上昇する。よって、周囲温度ｔが２０℃であれば耐えられるが、庫内温度が５０℃になることもあるカラムオーブンに用いた場合には破損してしまう。【００１０】
そのため、吸光度検出器セルをカラムオーブン内へ配置するときに、吸光度検出器セルの設置可能環境温度ｔを６０℃と規定すると、ＵＶＬＥＤ素子自体の発熱による許容可能な上昇温度は２５℃となるため、駆動電流の上限値ＩＵＰは５５．６ｍＡ程度にしか設定できない。しかし、全てのユーザがカラムオーブン内を６０℃に設定するわけではなく、この場合には１００ｍＡの駆動電流値Ｉを流したときに比べてノイズが１．４倍程度になる。
そこで、本発明は、カラムオーブン内に配置された場合でも、駆動電流を控えめに供給することなく、常に最大光量を得ることができる吸光度検出器及びそれを備えたクロマトグラフを提供することを目的とする。
【課題を解決するための手段】
【００１１】
上記課題を解決するためになされた本発明の吸光度検出器は、ＬＥＤ素子を有する発光部と、フォトダイオードを有する受光部と、前記発光部と前記受光部との間に配置され、試料が収容されるセル部とで構成される吸光度検出器セルと、前記ＬＥＤ素子に駆動電流を出力するＬＥＤ制御部とを備える吸光度検出器であって、前記ＬＥＤ素子の周囲温度を検出する温度センサを備え、前記ＬＥＤ制御部は、前記温度センサで検出された周囲温度に基づいて、前記ＬＥＤ素子に出力する駆動電流の上限値を決定するようにしている。
【発明の効果】
【００１２】
本発明の吸光度検出器によれば、発光部に温度センサを設けて発光部の周囲温度ｔをモニタし、得られた周囲温度ｔに応じて駆動電流の上限値ＩＵＰを変えるようにしているので、駆動電流を控えめに供給するのではなく、周囲温度ｔに応じた上限値で供給することにより、常に最大光量を得ることができる。そして、これにより温度に基づくノイズを極小化し、超高感度で測定することができる。【００１３】
（その他の課題を解決するための手段および効果）
また、本発明の吸光度検出器において、前記ＬＥＤ制御部は、前記温度センサで検出された周囲温度及び前記ＬＥＤ素子の熱抵抗に基づいて、常に前記ＬＥＤ素子に出力する駆動電流の上限値を算出するようにしてもよい。
さらに、本発明の吸光度検出器において、前記ＬＥＤ制御部は、周囲温度が安定したと判定した後に、前記ＬＥＤ素子に出力する駆動電流の上限値を決定するようにしてもよい。【００１４】
そして、本発明のクロマトグラフは、上述したような吸光度検出器と、オーブンと、前記オーブンの内部に配置されるカラムと、前記オーブン内部の空気を加熱するヒータとを備えるカラムオーブンと、前記カラムオーブンを制御するオーブン制御部とを備えるクロマトグラフであって、前記吸光度検出器セルは、前記オーブン内部に配置されるようにしてもよい。
このような本発明のクロマトグラフによれば、カラムから検出部に至る配管容量をなくして高感度の測定を行うことができる。
【図面の簡単な説明】
【００１５】
【図１】本発明を適用した液体クロマトグラフの一例を示す概略構成図。
【図２】図１における吸光度検出器を示す図。
【図３】従来のＬＥＤを用いた吸光度検出器の一例を示す図。
【発明を実施するための形態】
【００１６】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１７】
図１は、本発明に係る吸光度検出器を液体クロマトグラフに適用した場合の一例を示す概略構成図であり、図２は、図１における吸光度検出器の構成を示す図である。なお、上述した吸光度検出器１３０と同様のものについては、同じ符号を付すことにより説明を省略する。
液体クロマトグラフ１は、移動相が収容された容器５１と、容器５１と連結されたデガッサ５２と、デガッサ５２と連結されたポンプ５３と、ポンプ５３と連結された流路中に試料が導入されるオートサンプラ５４と、オートサンプラ５４と連結されたカラム１２を有するカラムオーブン１０と、カラム１２と連結された吸光度検出器セル２０を有する吸光度検出器３０と、コンピュータ４０とを備える。
【００１８】
カラムオーブン１０は、直方体形状のオーブン１１を備え、オーブン１１の内部には、試料が通過するカラム１２と、空気を循環させるファン１３と、空気を加熱するヒータ１４と、オーブン１１内部のオーブン温度ｔ’を検出する温度センサ１５とが収容されている。
【００１９】
コンピュータ４０は、ＣＰＵ４１を備え、さらにキーボードやマウス等を有する入力装置４２と、表示装置４３とが連結されている。また、ＣＰＵ４１が処理する機能をブロック化して説明すると、カラムオーブン１０等を制御する温度制御部４１ａと、吸光度検出器３０の検出器制御部３１からの電気信号を受信する分析制御部４１ｂとを有する。
【００２０】
温度制御部４１ａは、ユーザが入力装置４２を用いて「オーブン温度（例えば３５℃）」を設定することで、オーブン用温度センサ１５で検出されたオーブン温度ｔ’に基づいて、ヒータ１４に駆動電流を供給することにより、オーブン温度ｔ’を設定されたオーブン温度に調整する制御を行う。また、温度制御部４１ａは、測定実行時に、オーブン温度ｔ’が設定したオーブン温度で安定したか否かを判定する制御を行う。
【００２１】
分析制御部４１ｂは、吸光度検出器３０のフォトダイオード制御部３１ｂで取得された電気信号に基づいて、様々な演算処理を実行し、その算出結果を表示装置４３に表示する制御を行う。
【００２２】
吸光度検出器３０は、オーブン１１内に配置された吸光度検出器セル２０と、オーブン１１外に配置されコンピュータ４０に接続された検出器制御部３１と、アンプ部３２及びＡ／Ｄ変換器３３とを備える。
【００２３】
吸光度検出器セル２０は、２個のＵＶＬＥＤ素子２１ａ、２１ｂ、発光用フォトダイオード２１ｃ及びＵＶＬＥＤ素子２１ａ、２１ｂの周囲温度ｔを検出する温度センサ２１ｄを有する発光部２１と、受光用フォトダイオード２２ａを有する受光部２２と、発光部２１と受光部２２との間に配置され試料が通過するフローセル（セル部）２３とを備える。そして、フローセル２３の入口端はクロマトグラフのカラム１２の出口端に接続され、フローセル２３の出口端はドレインに接続されている。
【００２４】
検出器制御部３１は、ＵＶＬＥＤ素子２１ａ、２１ｂに駆動電流を供給するとともにＬＥＤ素子用温度センサ２１ｄから周囲温度ｔを取得するＬＥＤ制御部３１ａと、フォトダイオード２１ｃ、２２ａからアンプ部３２及びＡ／Ｄ変換器３３を介して電気信号を取得するフォトダイオード制御部３１ｂとを有する。
【００２５】
ＵＶＬＥＤ素子２１ａ、２１ｂは、ＬＥＤ制御部３１ａから駆動電流が供給されることによってＯＮ／ＯＦＦ及び発光量が制御され、発光用フォトダイオード２１ｃとフローセル２３とに光を照射する。
ＬＥＤ素子用温度センサ２１ｄは、ＵＶＬＥＤ素子２１ａ、２１ｂの周囲温度ｔを検出してＬＥＤ制御部３１ａに出力する。
【００２６】
ＬＥＤ制御部３１ａは、温度制御部４１ａによりオーブン温度ｔ’が設定温度で安定したと判定された後に、周囲温度ｔとＵＶＬＥＤ素子２１ａ、２１ｂの熱抵抗（例えば４５℃／Ｗ）とに基づいて、ＵＶＬＥＤ素子２１ａ、２１ｂに出力する駆動電流の上限値ＩＵＰを算出して駆動電流値Ｉを決定する制御を行う。例えば、ＬＥＤ制御部３１ａは、周囲温度ｔが３５℃の場合、ＵＶＬＥＤ素子２１ａ、２１ｂ自体の許容可能な上昇温度は５０℃となり、駆動電流の上限値ＩＵＰは１１１ｍＡであると算出する。次に、ＬＥＤ制御部３１ａは、故障防止のためにある程度のマージンを設けた９０ｍＡの駆動電流値ＩをＵＶＬＥＤ素子２１ａ、２１ｂに出力する。
【００２７】
以上のように本発明の液体クロマトグラフ１によれば、駆動電流を控えめに供給するのではなく、周囲温度ｔに応じた上限値で供給することにより、常に最大光量を得ることができる。そして、これにより温度に基づくノイズを極小化し、超高感度で測定することができるとともに、配管容量を減らして高感度の測定を行うことができる。
【００２８】
＜他の実施形態＞
（１）上述した液体クロマトグラフ１において、ＬＥＤ制御部３１ａは、周囲温度ｔとＵＶＬＥＤ素子２１ａ、２１ｂの熱抵抗（例えば４５℃／Ｗ）とに基づいて駆動電流の上限値ＩＵＰを算出する構成としたが、これに代えて、「周囲温度ｔ−駆動電流の上限値ＩＵＰのテーブル」を用いて駆動電流の上限値ＩＵＰを算出するような構成としてもよい。
【００２９】
（２）上述した液体クロマトグラフ１において、ＬＥＤ制御部３１ａは、温度制御部４１ａでオーブン温度ｔ’が設定温度で安定したと判定された後に、駆動電流の上限値ＩＵＰを算出する構成としたが、これに代えて、ユーザが「駆動電流の上限値ＩＵＰの算出の機能実行」を入力したときにのみ、駆動電流の上限値ＩＵＰを算出するような構成としてもよい。つまり、機能のＯＮ／ＯＦＦが設定可能となるようにしてもよい。
【産業上の利用可能性】
【００３０】
本発明は、例えば液体クロマトグラフ等に用いられる吸光度検出器に利用することができる。
【符号の説明】
【００３１】
２０：  吸光度検出器セル
２１：  発光部
２１ａ、２１ｂ：  ＵＶＬＥＤ素子
２１ｄ：  ＬＥＤ素子用温度センサ
２２：  受光部
２２ａ：  受光用フォトダイオード
２３：  フローセル（セル部）
３０：  吸光度検出器
３１ａ：  ＬＥＤ制御部
【図１】
2017149787.tif 000003
【図２】
2017149787.tif 000004
【図３】
2017149787.tif 000005
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
オーブンと、前記オーブンの内部に配置されるカラムと、前記オーブンの内部の温度を検出する第１温度センサと、前記第１温度センサで検出された前記オーブンの内部の温度に基づいて前記オーブンの内部の空気を加熱するヒータとを含むカラムオーブンと、
前記オーブンの内部に配置される吸光度検出器セルとを備え、
前記吸光度検出器セルが、ＬＥＤ素子を有する発光部と、受光部と、前記発光部と前記受光部との間に配置され、試料が収容されるセル部と、前記ＬＥＤ素子の周囲温度を検出する第２温度センサとを、前記吸光度検出器の筐体内部に含み、
前記ＬＥＤ素子に駆動電流を出力すると共に、前記第２温度センサで検出された温度に基づいて、前記ＬＥＤ素子に出力する駆動電流の上限値を決定するＬＥＤ制御部をさらに備える、クロマトグラフ。
【請求項２】
前記ＬＥＤ制御部は、前記温度センサで検出された周囲温度及び前記ＬＥＤ素子の熱抵抗に基づいて、前記ＬＥＤ素子に出力する駆動電流の上限値を算出することを特徴とする請求項１に記載のクロマトグラフ。
【請求項３】
前記ＬＥＤ制御部は、前記第１温度センサで検出された前記オーブン内部の温度が安定したと判定した後に、前記第２温度センサで検出された温度に基づいて、前記ＬＥＤ素子に出力する駆動電流の上限値を決定する、請求項１に記載のクロマトグラフ。
【請求項４】
前記第２温度センサで測定される温度と、前記ＬＥＤ素子に出力する駆動電流の上限値とを対応づけたテーブルが記憶されており、
前記ＬＥＤ制御部は、前記テーブルを用いて前記ＬＥＤ素子に出力する駆動電流の上限値を決定する、請求項１に記載のクロマトグラフ。
【手続補正２】
【補正対象書類名】明細書
【補正対象項目名】全文
【補正方法】変更
【補正の内容】
【発明の詳細な説明】
【技術分野】
【０００１】
本発明は、吸光度検出器を備えたクロマトグラフに関する。
【背景技術】
【０００２】
吸光光度法は、多数の物質を定量する場合の公定法にも用いられ、汎用性の高い測定方法として様々な分野で採用されている。このような吸光光度法に基づいた測定を行うためには、測定対象試料による光の吸収の程度、すなわち吸光度を検出するための吸光度検出器が必要である。
吸光度検出器は、発光部と、受光部と、試料を収容するセル部とから構成され、発光部と受光部と間の測定光路上にセル部が設置されている。発光部は測定する波長によっても異なるが、可視光領域の波長を測定する場合にはタングステンランプやハロゲンランプが用いられ、この光源からの光を回折格子（グレーティング）により分光して、試料を収容したセル部に一定波長の光を照射する。試料を透過した光は、フォトダイオードや光電子増倍管を用いた受光部で検出され、その光の透過率から吸光度が算出される。
【０００３】
また、ある特定の物質を測定するための簡易的な専用検出器の場合には、光の波長を変更する必要がないため、発光部として高輝度発光ダイオード（ＬＥＤ素子）を用いた吸光度検出器が利用されている（例えば特許文献１参照）。ただし、複数の波長を用いて測定を行いたい場合には、波長の異なる複数のＬＥＤ素子を設置することが必要となる。
【０００４】
図３は、波長の異なる２個のＬＥＤ素子を備える吸光度検出器の一例を示す図である。吸光度検出器１３０は、吸光度検出器セル１２０と、ＬＥＤ制御部１３１ａとフォトダイオード制御部３１ｂを有する検出器制御部１３１と、アンプ部３２及びＡ／Ｄ変換器３３とを備える。
【０００５】
吸光度検出器セル１２０は、２個のＬＥＤ素子１２１ａ、１２１ｂ及び発光用フォトダイオード２１ｃを有する発光部１２１と、受光用フォトダイオード２２ａを有する受光部２２と、発光部１２１と受光部２２との間に配置され試料が通過するフローセル（セル部）２３とを備える。そして、フローセル２３の入口端はクロマトグラフのカラムの出口端に接続され、フローセル２３の出口端はドレインに接続されている。
【０００６】
ＬＥＤ素子１２１ａ、１２１ｂは、ＬＥＤ制御部１３１ａから駆動電流が供給されることによってＯＮ／ＯＦＦ及び発光量が制御され、発光用フォトダイオード２１ｃとフローセル２３とに光を照射する。そして、受光用フォトダイオード２２ａは、フローセル２３を透過した光を検出して出力電流を出力するとともに、発光用フォトダイオード２１ｃは、フローセル２３を通過しない光を検出して出力電流を出力する。
【０００７】
フォトダイオード２１ｃ、２２ａはアンプ部３２に接続され、アンプ部３２でフォトダイオード２１ｃ、２２ａからの出力電流が電圧に変換される。さらにこの電気信号はＡ／Ｄ変換器３３でデジタル変換されてフォトダイオード制御部３１ｂに送信される。
【先行技術文献】
【特許文献】
【０００８】
【特許文献１】登録実用新案第３０３６９３０号公報
【発明の概要】
【発明が解決しようとする課題】
【０００９】
上述したような吸光度検出器セル１２０は、回折格子（グレーティング）等を備えず、小型かつ簡便な形態であるため、恒温槽内等に収容して使用されることがある。
ところで、ＬＥＤ素子の一種であるＵＶＬＥＤ素子は熱に弱く、接合部の温度が８５℃近傍になると破損するものがある。例えば、熱抵抗が４５℃／Ｗ、順方向電圧値が１０ＶのＵＶＬＥＤ素子に対し、駆動電流値Ｉを１００ｍＡとした場合、ＵＶＬＥＤ素子の消費電力値は１Ｗであって周囲温度ｔから４５℃上昇する。よって、周囲温度ｔが２０℃であれば耐えられるが、庫内温度が５０℃になることもあるカラムオーブンに用いた場合には破損してしまう。
【００１０】
そのため、吸光度検出器セルをカラムオーブン内へ配置するときに、吸光度検出器セルの設置可能環境温度ｔを６０℃と規定すると、ＵＶＬＥＤ素子自体の発熱による許容可能な上昇温度は２５℃となるため、駆動電流の上限値ＩＵＰは５５．６ｍＡ程度にしか設定できない。しかし、全てのユーザがカラムオーブン内を６０℃に設定するわけではなく、この場合には１００ｍＡの駆動電流値Ｉを流したときに比べてノイズが１．４倍程度になる。
そこで、本発明は、カラムオーブン内に配置された場合でも、駆動電流を控えめに供給することなく、常に最大光量を得ることができる吸光度検出器を備えたクロマトグラフを提供することを目的とする。
【課題を解決するための手段】
【００１１】
上記課題を解決するためになされた本発明のクロマトグラフは、オーブンと、前記オーブンの内部に配置されるカラムと、前記オーブンの内部の温度を検出する第１温度センサと、前記第１温度センサで検出された前記オーブンの内部の温度に基づいて前記オーブンの内部の空気を加熱するヒータとを含むカラムオーブンと、前記オーブンの内部に配置される吸光度検出器セルとを備え、
前記吸光度検出器セルが、ＬＥＤ素子を有する発光部と、受光部と、前記発光部と前記受光部との間に配置され、試料が収容されるセル部と、前記ＬＥＤ素子の周囲温度を検出する第２温度センサとを、前記吸光度検出器の筐体内部に含み、前記ＬＥＤ素子に駆動電流を出力すると共に、前記第２温度センサで検出された温度に基づいて、前記ＬＥＤ素子に出力する駆動電流の上限値を決定するＬＥＤ制御部をさらに備えるようにしている。
【発明の効果】
【００１２】
本発明のクロマトグラフによれば、吸光度検出器セルの発光部に温度センサを設けて発光部の周囲温度ｔをモニタし、得られた周囲温度ｔに応じて駆動電流の上限値ＩＵＰを変えるようにしているので、駆動電流を控えめに供給するのではなく、周囲温度ｔに応じた上限値で供給することにより、常に最大光量を得ることができる。そして、これにより温度に基づくノイズを極小化し、超高感度で測定することができる。
【００１３】
（その他の課題を解決するための手段および効果）
また、本発明のクロマトグラフにおいて、前記ＬＥＤ制御部は、前記温度センサで検出された周囲温度及び前記ＬＥＤ素子の熱抵抗に基づいて、常に前記ＬＥＤ素子に出力する駆動電流の上限値を算出するようにしてもよい。
さらに、本発明のクロマトグラフにおいて、前記ＬＥＤ制御部は、前記第１温度センサで検出された前記オーブン内部の温度が安定したと判定した後に、前記第２温度センサで検出された温度に基づいて、前記ＬＥＤ素子に出力する駆動電流の上限値を決定するようにしてもよい。
【００１４】
そして、本発明のクロマトグラフは、前記第２温度センサで測定される温度と、前記ＬＥＤ素子に出力する駆動電流の上限値とを対応づけたテーブルが記憶されており、前記ＬＥＤ制御部は、前記テーブルを用いて前記ＬＥＤ素子に出力する駆動電流の上限値を決定するようにしてもよい。
【図面の簡単な説明】
【００１５】
【図１】本発明を適用した液体クロマトグラフの一例を示す概略構成図。
【図２】図１における吸光度検出器を示す図。
【図３】従来のＬＥＤを用いた吸光度検出器の一例を示す図。
【発明を実施するための形態】
【００１６】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１７】
図１は、本発明に係る吸光度検出器を液体クロマトグラフに適用した場合の一例を示す概略構成図であり、図２は、図１における吸光度検出器の構成を示す図である。なお、上述した吸光度検出器１３０と同様のものについては、同じ符号を付すことにより説明を省略する。
液体クロマトグラフ１は、移動相が収容された容器５１と、容器５１と連結されたデガッサ５２と、デガッサ５２と連結されたポンプ５３と、ポンプ５３と連結された流路中に試料が導入されるオートサンプラ５４と、オートサンプラ５４と連結されたカラム１２を有するカラムオーブン１０と、カラム１２と連結された吸光度検出器セル２０を有する吸光度検出器３０と、コンピュータ４０とを備える。
【００１８】
カラムオーブン１０は、直方体形状のオーブン１１を備え、オーブン１１の内部には、試料が通過するカラム１２と、空気を循環させるファン１３と、空気を加熱するヒータ１４と、オーブン１１内部のオーブン温度ｔ’を検出する温度センサ１５とが収容されている。
【００１９】
コンピュータ４０は、ＣＰＵ４１を備え、さらにキーボードやマウス等を有する入力装置４２と、表示装置４３とが連結されている。また、ＣＰＵ４１が処理する機能をブロック化して説明すると、カラムオーブン１０等を制御する温度制御部４１ａと、吸光度検出器３０の検出器制御部３１からの電気信号を受信する分析制御部４１ｂとを有する。
【００２０】
温度制御部４１ａは、ユーザが入力装置４２を用いて「オーブン温度（例えば３５℃）」を設定することで、オーブン用温度センサ１５で検出されたオーブン温度ｔ’に基づいて、ヒータ１４に駆動電流を供給することにより、オーブン温度ｔ’を設定されたオーブン温度に調整する制御を行う。また、温度制御部４１ａは、測定実行時に、オーブン温度ｔ’が設定したオーブン温度で安定したか否かを判定する制御を行う。
【００２１】
分析制御部４１ｂは、吸光度検出器３０のフォトダイオード制御部３１ｂで取得された電気信号に基づいて、様々な演算処理を実行し、その算出結果を表示装置４３に表示する制御を行う。
【００２２】
吸光度検出器３０は、オーブン１１内に配置された吸光度検出器セル２０と、オーブン１１外に配置されコンピュータ４０に接続された検出器制御部３１と、アンプ部３２及びＡ／Ｄ変換器３３とを備える。
【００２３】
吸光度検出器セル２０は、２個のＵＶＬＥＤ素子２１ａ、２１ｂ、発光用フォトダイオード２１ｃ及びＵＶＬＥＤ素子２１ａ、２１ｂの周囲温度ｔを検出する温度センサ２１ｄを有する発光部２１と、受光用フォトダイオード２２ａを有する受光部２２と、発光部２１と受光部２２との間に配置され試料が通過するフローセル（セル部）２３とを備える。そして、フローセル２３の入口端はクロマトグラフのカラム１２の出口端に接続され、フローセル２３の出口端はドレインに接続されている。
【００２４】
検出器制御部３１は、ＵＶＬＥＤ素子２１ａ、２１ｂに駆動電流を供給するとともにＬＥＤ素子用温度センサ２１ｄから周囲温度ｔを取得するＬＥＤ制御部３１ａと、フォトダイオード２１ｃ、２２ａからアンプ部３２及びＡ／Ｄ変換器３３を介して電気信号を取得するフォトダイオード制御部３１ｂとを有する。
【００２５】
ＵＶＬＥＤ素子２１ａ、２１ｂは、ＬＥＤ制御部３１ａから駆動電流が供給されることによってＯＮ／ＯＦＦ及び発光量が制御され、発光用フォトダイオード２１ｃとフローセル２３とに光を照射する。
ＬＥＤ素子用温度センサ２１ｄは、ＵＶＬＥＤ素子２１ａ、２１ｂの周囲温度ｔを検出してＬＥＤ制御部３１ａに出力する。
【００２６】
ＬＥＤ制御部３１ａは、温度制御部４１ａによりオーブン温度ｔ’が設定温度で安定したと判定された後に、周囲温度ｔとＵＶＬＥＤ素子２１ａ、２１ｂの熱抵抗（例えば４５℃／Ｗ）とに基づいて、ＵＶＬＥＤ素子２１ａ、２１ｂに出力する駆動電流の上限値ＩＵＰを算出して駆動電流値Ｉを決定する制御を行う。例えば、ＬＥＤ制御部３１ａは、周囲温度ｔが３５℃の場合、ＵＶＬＥＤ素子２１ａ、２１ｂ自体の許容可能な上昇温度は５０℃となり、駆動電流の上限値ＩＵＰは１１１ｍＡであると算出する。次に、ＬＥＤ制御部３１ａは、故障防止のためにある程度のマージンを設けた９０ｍＡの駆動電流値ＩをＵＶＬＥＤ素子２１ａ、２１ｂに出力する。
【００２７】
以上のように本発明の液体クロマトグラフ１によれば、駆動電流を控えめに供給するのではなく、周囲温度ｔに応じた上限値で供給することにより、常に最大光量を得ることができる。そして、これにより温度に基づくノイズを極小化し、超高感度で測定することができるとともに、配管容量を減らして高感度の測定を行うことができる。
【００２８】
＜他の実施形態＞
（１）上述した液体クロマトグラフ１において、ＬＥＤ制御部３１ａは、周囲温度ｔとＵＶＬＥＤ素子２１ａ、２１ｂの熱抵抗（例えば４５℃／Ｗ）とに基づいて駆動電流の上限値ＩＵＰを算出する構成としたが、これに代えて、「周囲温度ｔ−駆動電流の上限値ＩＵＰのテーブル」を用いて駆動電流の上限値ＩＵＰを算出するような構成としてもよい。
【００２９】
（２）上述した液体クロマトグラフ１において、ＬＥＤ制御部３１ａは、温度制御部４１ａでオーブン温度ｔ’が設定温度で安定したと判定された後に、駆動電流の上限値ＩＵＰを算出する構成としたが、これに代えて、ユーザが「駆動電流の上限値ＩＵＰの算出の機能実行」を入力したときにのみ、駆動電流の上限値ＩＵＰを算出するような構成としてもよい。つまり、機能のＯＮ／ＯＦＦが設定可能となるようにしてもよい。
【産業上の利用可能性】
【００３０】
本発明は、例えば吸光度検出器を備えたクロマトグラフに利用することができる。
【符号の説明】
【００３１】
２０：  吸光度検出器セル
２１：  発光部
２１ａ、２１ｂ：  ＵＶＬＥＤ素子
２１ｄ：  ＬＥＤ素子用温度センサ
２２：  受光部
２２ａ：  受光用フォトダイオード
２３：  フローセル（セル部）
３０：  吸光度検出器
３１ａ：  ＬＥＤ制御部
【国際調査報告】
2017149787.tif 000006
2017149787.tif 000007
2017149787.tif 000008
2017149787.tif 000009